(57)【要約】 【課題】 レーダ電波に対して、反射が軽減化されたアンテナを備えるラジオブイを提供する。【解決手段】  浮子２１に対して、偏心させてドラム胴２２を設け、その上にアンテナ２５を垂直に設ける。使用時に海面上に投げ込まれたラジオブイは、浮子２１の重心がずれていることから、海面に投げ込まれた時に、自動的に海面に対して傾くことになる。また、アンテナ２５の先端部には、レーダ波を乱反射させる部材が挿入されている。したがって、アンテナが海面に対して傾いており、レーダ波の反射が軽減化されるので、盗難を目的とするレーダ探知を受け難くなる。【選択図】      図４
2005153876.tif 000002
【特許請求の範囲】
【請求項１】
浮子の中心に対して偏心させて取り付けられたドラム胴に、浮子表面に垂直になるように、アンテナを設けたことを特徴とするラジオブイ。
【請求項２】
前記アンテナは、内部にレーダ波を乱反射する導電体が挿入された先端部を備えることを特徴とする請求項１に記載のラジオブイ。
【請求項３】
前記導電体は、細線により支持された波型の金属板であることを特徴とする請求項２に記載のラジオブイ。
【請求項４】
前記先端部は、パイプ状であり、内部に波型に折り曲げられた金属板が組み込まれていることを特徴とする請求項２に記載のラジオブイ。
【発明の詳細な説明】
【技術分野】
【０００１】
本発明は、漁具の一種であって、海上に浮かせて使用するラジオブイに関し、特にラジオブイのアンテナ及びその取り付け構造に関するものである。
【背景技術】
【０００２】
従来、海上において漁業用にラジオブイが使用されている。例えば、まき網漁法では、大型あるいは中型のまき網を使用してカツオ、マグロ等の魚類が捕獲されるが、魚群を網で囲む前に、発見しなければならない。
一般に、魚は浮遊物（浮き漁礁）の周囲に形成される影に集まり、浮遊物の周囲を回遊する習性がある。まき網漁法では、その習性を利用して、魚群を集めることが行われている。そのため、上記浮遊物として、人工的に作られた浮き漁礁（パヤオ）が、漁船には数個から数十個が搭載されている。パヤオには各種あるが、例えば竹材を５ｍ前後に井桁状に組立てたものに網をかぶせて作られ、これを数個から数十個、海上に浮遊させ、各パヤオの周囲に影をできるようにして、魚を集めるものである。
【０００３】
ところで広い海上にパヤオを浮遊させるが、後からパヤオの位置を確認できるようにする必要があり、そのために、パヤオにはロープによりラジオブイが係留され、レーダによりラジオブイの位置を探知し易くすることが行われている。
しかし近年、まき網漁を行うためにパヤオを放流させた漁船とは別の漁船が、別途、レーダによってラジオブイを探知し、パヤオの周囲を回遊する魚と共にラジオブイを盗むことが起きるようになった。
【０００４】
ところで、ラジオブイは海面に浮かぶことができるように、比重が１より小さい浮子が使用
されており、浮子にはレーダからの電波を反射する浮体とアンテナが設けられている。特許文献１に示すように、ラジオブイのアンテナは、海水面上にアンテナが突き出すように、浮子に垂直に取り付けられるのが通常である。従来、魚の盗難を防ぐため、浮子に対して垂直に取り付けるのではなく、図５に示すように、ラジオブイ１に取り付けられるアンテナ１０を、「くの字」型の金具１２を使用し、傾けて取り付けているものがある。
【０００５】
しかし、上記ラジオブイを船上に引上げるときには、アンテナを浮子にとりつけたまま船上
に引上げられるか、アンテナを浮子から外して船上に引上げられる。そして、ラジオブイの何回もの使用により、アンテナの取り付け部分の金具に荷重がかかると共に、金具が錆びて破損し、アンテナが浮子から外れることがあった。そのため、アンテナの取り付け部を浮子に対して傾斜させずに取り付けることが求められた。
また、アンテナを浮子に対して傾けて取付けることによって、反射は軽減できるが、アンテナの位置を発見されにくくするため、さらに反射を軽減することが求められていた。このような手段として、従来、編組線がアンテナの竿状本体部分内に円筒状に内装されたものがあるが、製造が複雑であり、製造コストも高いものであった。
【特許文献１】特開平６−４０３７６号公報
【発明の開示】
【発明が解決しようとする課題】
【０００６】
本発明は、上記のような問題点を解消するためになされたもので、アンテナを傾斜させる特別な取り付け金具を用いることなく、アンテナをラジオブイに対して傾斜させることができるラジオブイを提供することを目的とする。
さらに、先端部の構造を工夫することにより、反射効率がより軽減化されたアンテナを備えたラジオブイを提供することを目的とする。
【課題を解決するための手段】
【０００７】
本発明に係るラジオブイは、円盤状の浮子を使用し、その中心に対して偏心させた位置に、浮子の表面に対して垂直にアンテナを設けるものである。また、本発明のラジオブイに使用されるアンテナの先端部には、レーダ反射を軽減化する部材が挿入されている。
本発明の請求項１に係るラジオブイの発明は、浮子の中心に対して偏心させて取り付けられたドラム胴に、浮子表面に垂直になるように、アンテナを設けたことを特徴とする。
【０００８】
また、本発明の請求項２に係るラジオブイの発明では、請求項１に記載のラジオブイにおいて、前記アンテナは、内部にレーダ波を乱反射する導電体が挿入された先端部を備えることを特徴とする。
【０００９】
また、本発明の請求項３に係るラジオブイの発明では、請求項２に記載のラジオブイにおいて、前記導電体は、細線により支持された波型の金属板であることを特徴とする。
【００１０】
さらに、本発明の請求項４に係るラジオブイの発明では、請求項２に記載のラジオブイにおいて、前記先端部は、パイプ状であり、内部に波型に折り曲げられた金属板が組み込まれていることを特徴とする。
【発明の効果】
【００１１】
本発明に係るラジオブイは、浮子に対してくの字型金具を使用することなく、アンテナの重心が浮子の中心よりずれているので、ラジオブイを海上に投げ出しただけで、ラジオブイは傾斜し、アンテナを海面に対して自動的に傾かせることができる。また、従来よりもアンテナの製造が簡単となる。
そして、本発明のラジオブイによれば、使用時にアンテナが海面に対して傾くとともに、アンテナの先端部にレーダ波に対して乱反射させる部材を挿入しているので、従来のアンテナが海面状、垂直になるように取り付けられた場合に比して、レーダからの電波に対して反射効率は悪くなり、遠方からのラジオブイの探知は困難となる。例えば従来、１０海里（１８．５２ｋｍ）の範囲にあるラジオブイが探知されたものが、５海里（９．２６ｋｍ）以下の範囲のラジオブイしか探知されないなど、従来と比較して探知距離は従来の１／２程度となる。そのため、盗漁する漁船がブイを発見しにくくなり、盗難がやりにくくなる。
【発明を実施するための最良の形態】
【００１２】
以下、本発明の一実施形態について図面を参照して説明する。図１は、本発明のラジオブイの構成を示す図であって、ラジオブイ２には、円筒型の浮子２１に対し偏心させて貫通するようにドラム胴２２が設けられ、その上部にはドラム蓋２３が取り付けられる。ドラム胴２２には、送信機、受信機、バッテリなどが収容され、その上部にはドラム蓋２３が取り付けられる。ドラム蓋２３部分にある取り付け部２３を介して、浮子２１の中心線Ｃに対して偏心するように、アンテナ２５が浮子２１に対して垂直（90度前後）になるように取り付けられている。
【００１３】
アンテナ２５の部分は、上部２５２と下部２５１からなり、上部２５１は図２及び図３に示す構造とされる。
図２に示すように、アンテナ上部２５２は下部から上部に向けて、徐々にその径が小となるように形成される竿状の部材であり、ＦＲＰから構成される。そして、図３（Ａ）に示すように、アンテナ上部２５２は、全体として長さＬ１、Ｌ２、Ｌ３（Ｌ２＞Ｌ１＞Ｌ３）の部分から構成される。アンテナ上部２５２の長さは、ブイの大きさにより適宜、その長さが決定される。
【００１４】
アンテナ上部２５２の内部には、図３（Ｂ）に詳細に示すように、導電体（導電体であればよいが、例えば、銅、真鍮、ステンレススチール、ウレタンフォームにアルミニュウムを吹き付けたものから形成される。錆び難いものが好ましい。）が挿入される。上記導電体としては、レーダからの電波を反射するように、折り曲げられたような形態にされる。例えば、アルミ箔をくしゃくしゃにして引き延ばしたようなものでもよい。
【００１５】
本実施形態では、波型の銅板３１が挿入されている。銅板３１は全体として、下端部から上端部にかけてアンテナの先端部の内径に沿うような幅に形成され、例えば約120度の角度で波型を繰り返す形状とされている。そして、厚さ約０．３５ｍｍの銅板３１は、径０．８ｍｍの銅の補強線３２により、その一方の頂部３３を半田付けされた後、上部２５２内に挿入される。銅板３１の波型の角度は、約120度であり、Ｌ２全長に亘って一定にされないと、レーダ波の反射を軽減する効率はよくない。
そして、銅板３１の両端は、防水栓３３により上部２５２の竿状部材との間に挟まれて固定され、アンテナの下部と導通するように接続するために、銅板を折り返した部材３４により、アンテナ下部への取り付け金具２３と接続される。
【００１６】
このように構成されたラジオブイ２は、図４に示すように、海上に投げ込まれた時、アンテ
ナ２５が浮子２１に対して偏心して取り付けられているので、海面に対して自動的に傾いて海
面上に浮かぶ状態となる。アンテナの浮子に対する偏心の割合を変えることにより、海面に対
する傾き角度αは、約30度から45度に設定でき、従来の金具による30度の角度よりも大き
く傾かせることができる。これによって、アンテナ先端部の電波を乱反射させる部材とあいま
って、ラジオブイのレーダ探知をやりにくくする。
【図面の簡単な説明】
【００１７】
【図１】本発明の一実施形態による、ラジオブイの装置を示す正面図である。
【図２】本発明のラジオブイに使用されるアンテナの、先端部の一実施形態の構造を説明する斜視図である。
【図３】図２に示すアンテナの先端部の内部構造を説明する図であって、（Ａ）は内部に挿入される銅板及び細線を、（Ｂ）は先端部に挿入された状態を示す従断面図である。
【図４】本発明のラジオブイの海面上での使用状態を示す図である。
【図５】従来のラジオブイを示す図である。
【符号の説明】
【００１８】
２  ラジオブイ
２１  浮子
２２  ドラム胴
２３  ドラム蓋
２５  アンテナ
【図１】
2005153876.tif 000003
【図２】
2005153876.tif 000004
【図３】
2005153876.tif 000005
【図４】
2005153876.tif 000006
【図５】
2005153876.tif 000007